(57)【要約】【課題】部分重畳投射を行う際に特定画像が重畳領域に表示される場合でも、特定画像の見やすさを確保する。【解決手段】第１の画像投射装置２１０から投射される第１の画像と第２の画像投射装置２１１〜２１３から投射される第２の画像のそれぞれの部分領域を互いに重畳させて表示する。第１の画像投射装置は、両画像投射装置に、第１および第２の画像の重畳領域に対して重畳補正処理を行わせる補正手段２６，３６を有し、第１および第２の画像投射装置の少なくとも一方に、合成画像の一部に含まれるように特定画像を表示させる。補正手段は、特定画像が重畳領域を含むように表示される場合に、第１および第２の画像投射装置に、第１および第２の画像のうち一方における部分領域のうち特定画像が表示される部分の重畳補正処理を行わせず、他方における特定画像が表示される部分を低照度にさせる。【選択図】図２
2016024296.tif 000002
【特許請求の範囲】
【請求項１】
第１の画像投射装置から投射される第１の画像と第２の画像投射装置から投射される第２の画像のそれぞれの部分領域を互いに重畳させて合成画像を表示する際に用いられる前記第１の画像投射装置であって、
前記第１および第２の画像投射装置に、前記合成画像のうち前記第１および第２の画像の前記部分領域が互いに重畳した重畳領域の照度と前記第１および第２の画像が互いに重畳していない非重畳領域の照度との差を少なくするように、前記第１および第２の画像のそれぞれの前記部分領域の照度を前記非重畳領域の照度よりも低くする重畳補正処理を行わせる補正手段と、
前記第１および第２の画像投射装置の少なくとも一方に、前記合成画像の一部に含まれるように特定画像を表示させる特定画像表示手段とを有し、
前記補正手段は、
前記特定画像が前記重畳領域を含まないように表示される場合に、前記第１および第２の画像投射装置に、前記第１および第２の画像のそれぞれの前記部分領域に対して前記重畳補正処理を行わせ、
前記特定画像が前記重畳領域を含むように表示される場合に、前記第１および第２の画像投射装置に、前記第１および第２の画像のうち一方の画像における前記部分領域のうち前記特定画像が表示される部分の前記重畳補正処理を行わせず、かつ前記第１および第２の画像のうち他方の画像における前記特定画像が表示される部分を前記特定画像が表示されない部分よりも低照度にさせることを特徴とする画像投射装置。
【請求項２】
前記特定画像は、前記第１および第２の画像投射装置に対して共通する設定に用いられるメニュー画像であることを特徴とする請求項１に記載の画像投射装置。
【請求項３】
前記低照度は、黒表示に相当する照度であることを特徴とする請求項１または２に記載の画像投射装置。
【請求項４】
請求項１から３のいずれか一項に記載の画像投射装置の前記補正手段から信号を受けて動作する前記第２の画像投射装置であって、
前記特定画像が前記重畳領域を含まないように表示される場合に、前記第２の画像の前記部分領域に対して前記重畳補正処理を行い、
前記特定画像が前記重畳領域を含むように表示される場合に、前記第２の画像における前記部分領域のうち前記特定画像が表示される部分の前記重畳補正処理を行わない、または前記第２の画像における前記特定画像が表示される部分を前記特定画像が表示されない部分よりも低照度にすることを特徴とする画像投射装置。
【請求項５】
第１の画像投射装置から投射される第１の画像と第２の画像投射装置から投射される第２の画像のそれぞれの部分領域を互いに重畳させて合成画像を表示する際に用いられる前記第１の画像投射装置に搭載された第１のコンピュータを動作させるコンピュータプログラムとしての画像投射プログラムであって、
前記第１および第２の画像投射装置は、前記合成画像のうち前記第１および第２の画像の前記部分領域が互いに重畳した重畳領域の照度と前記第１および第２の画像が互いに重畳していない非重畳領域の照度との差を少なくするように、前記第１および第２の画像のそれぞれの前記部分領域の照度を前記非重畳領域の照度よりも低くする重畳補正処理を行うことが可能であり、
前記第１および第２の画像投射装置の少なくとも一方は、前記合成画像の一部に含まれるように特定画像を表示することが可能であり、
前記第１のコンピュータを動作させることにより、
前記特定画像が前記重畳領域を含まないように表示される場合に、前記第１および第２の画像投射装置に、前記第１および第２の画像のそれぞれの前記部分領域に対して前記重畳補正処理を行わせ、
前記特定画像が前記重畳領域を含むように表示される場合に、前記第１および第２の画像投射装置に、前記第１および第２の画像のうち一方の画像における前記部分領域のうち前記特定画像が表示される部分の前記重畳補正処理を行わせず、かつ前記第１および第２の画像のうち他方の画像における前記特定画像が表示される部分を前記特定画像が表示されない部分よりも低照度にさせることを特徴とする画像投射プログラム。
【請求項６】
請求項５に記載の画像投射プログラムにより動作する前記第１のコンピュータから信号を受けて前記第２の画像投射装置に搭載された第２のコンピュータを動作させるコンピュータプログラムとしての画像投射プログラムであって、
前記第２のコンピュータを動作させることにより、
前記特定画像が前記重畳領域を含まないように表示される場合に、前記第２の画像投射装置に、前記第２の画像の前記部分領域に対して前記重畳補正処理を行わせ、
前記特定画像が前記重畳領域を含むように表示される場合に、前記第２の画像投射装置に、前記第２の画像における前記部分領域のうち前記特定画像が表示される部分の前記重畳補正処理を行わせない、または前記第２の画像における前記特定画像が表示される部分を前記特定画像が表示されない部分よりも低照度にさせることを特徴とする画像投射プログラム。
【発明の詳細な説明】
【技術分野】
【０００１】
本発明は、複数の画像投射装置から投射される複数の画像のそれぞれの一部を互いに重畳させて合成画像を表示する画像投射（以下、本明細書では部分重畳投射という）に用いられる画像投射装置に関する。
【背景技術】
【０００２】
大画面の画像を表示するために、複数の画像投射装置を用いた上記のような部分重畳投射による合成画像の表示が行われる場合がある。このような部分重畳投射を行う複数の画像投射装置に対して共通の設定（画像間の重畳幅や各画像の明るさ、解像度等の設定）を行う場合は、合成画像上にオンスクリーンディスプレイ（ＯＳＤ）機能により表示したメニュー画面にて設定入力を行えることが望ましい。
【０００３】
特許文献１には、複数の画像投射装置の少なくとも１つから、該複数の画像投射装置に共通の設定を行うためのメニュー画面用の画像（メニュー画像）を投射させることができるようにした画像投射システムが開示されている。また、特許文献２には、複数の画像投射装置を含む画像投射システムにおいて、システムの制御を受け持つメイン装置と、該メイン装置以外のサブ装置とを通信可能に接続して、メイン装置がサブ装置を制御する構成が開示されている。
【先行技術文献】
【特許文献】
【０００４】
【特許文献１】特開２００８−２１６８０５号公報
【特許文献２】特開２０１２−０１９４４２号公報
【発明の概要】
【発明が解決しようとする課題】
【０００５】
部分重畳投射を行う場合には、複数の画像投射装置からの投射画像が互いに重畳する重畳領域の照度と重畳しない非重畳領域の照度との差を少なくするための補正処理（以下、重畳補正処理という）を行うことで、均一な明るさの合成画像を生じすることができる。
【０００６】
しかしながら、メニュー画像が重畳領域を含むように表示される場合にこの重畳領域のうちメニュー画像が表示される部分まで重畳補正処理が行われると、メニュー画像における重畳領域にかかる部分の照度が低下し、メニュー画像が見にくくなる。特許文献１にて開示された画像投射システムでは、複数の投射画像を重畳せずに繋ぎ合わせて単一画像を表示するために、このようなメニュー画像の表示時における重畳補正処理によって生じる問題まで考慮されていない。
【０００７】
一方、特許文献２に記載されている画像投射システムでは、複数の画像投射装置からの投射画像の全体を重畳して表示するため、重畳領域と非重畳領域とがともに存在する部分重畳投射における上記問題がそもそも生じない。
【０００８】
本発明では、部分重畳投射を行う際にメニュー画像（特定画像）が重畳領域にかかるように表示される場合でも、メニュー画像の見やすさを確保できるようにした画像投射装置を提供する。
【課題を解決するための手段】
【０００９】
本発明の一側面としての画像投射装置は、第１の画像投射装置から投射される第１の画像と第２の画像投射装置から投射される第２の画像のそれぞれの部分領域を互いに重畳させて合成画像を表示する際に用いられる第１の画像投射装置である。該画像投射装置は、第１および第２の画像投射装置に、合成画像のうち第１および第２の画像の部分領域が互いに重畳した重畳領域の照度と第１および第２の画像が互いに重畳していない非重畳領域の照度との差を少なくするように、第１および第２の画像のそれぞれの部分領域の照度を非重畳領域の照度よりも低くする重畳補正処理を行わせる補正手段と、第１および第２の画像投射装置の少なくとも一方に、合成画像の一部に含まれるように特定画像を表示させる特定画像表示手段とを有する。そして、補正手段は、特定画像が重畳領域を含まないように表示される場合に、第１および第２の画像投射装置に、第１および第２の画像のそれぞれの部分領域に対して重畳補正処理を行わせ、特定画像が重畳領域を含むように表示される場合に、第１および第２の画像投射装置に、第１および第２の画像のうち一方の画像における部分領域のうち特定画像が表示される部分の重畳補正処理を行わせず、かつ第１および第２の画像のうち他方の画像における特定画像が表示される部分を特定画像が表示されない部分よりも低照度にさせることを特徴とする。
【００１０】
また、本発明の他の一側面としての画像投射プログラムは、第１の画像投射装置から投射される第１の画像と第２の画像投射装置から投射される第２の画像のそれぞれの部分領域を互いに重畳させて合成画像を表示する際に用いられる第１の画像投射装置に搭載された第１のコンピュータを動作させるコンピュータプログラムである。第１および第２の画像投射装置は、合成画像のうち第１および第２の画像の部分領域が互いに重畳した重畳領域の照度と第１および第２の画像が互いに重畳していない非重畳領域の照度との差を少なくするように、第１および第２の画像のそれぞれの部分領域の照度を非重畳領域の照度よりも低くする重畳補正処理を行うことが可能であり、第１および第２の画像投射装置の少なくとも一方は、合成画像の一部に含まれるように特定画像を表示することが可能である。該画像投射プログラムは、第１のコンピュータを動作させることにより、特定画像が重畳領域を含まないように表示される場合に、第１および第２の画像投射装置に、第１および第２の画像のそれぞれの部分領域に対して重畳補正処理を行わせ、特定画像が重畳領域を含むように表示される場合に、第１および第２の画像投射装置に、第１および第２の画像のうち一方の画像における部分領域のうち特定画像が表示される部分の重畳補正処理を行わせず、かつ第１および第２の画像のうち他方の画像における特定画像が表示される部分を特定画像が表示されない部分よりも低照度にさせることを特徴とする。
【発明の効果】
【００１１】
本発明によれば、特定画像を重畳領域を含むように表示する場合でも、重畳補正処理によって特定画像の一部が暗くなることを回避でき、特定画像を見やすく表示することができる。
【図面の簡単な説明】
【００１２】
【図１】本発明の実施例であるマスタープロジェクタの構成を示すブロック図。
【図２】上記マスタープロジェクタとスレーブプロジェクタとを含む画像投射システムを示す図。
【図３】上記画像投射システムに含まれる映像分配装置の動作を示す図。
【図４】上記マスタープロジェクタに含まれる重畳補正回路の処理を示す図。
【図５】上記重畳補正回路の処理を説明する別の図。
【図６】実施例において部分重畳投射された合成画像を示す図。
【図７】実施例において部分重畳投射用のメニュー画面を示す図。
【図８】上記マスタープロジェクタに含まれるメニュー付加回路の処理を示す図。
【図９】上記メニュー付加回路の処理を示す別の図。
【図１０】実施例における部分重畳投射処理を示すフローチャート。
【図１１】上記部分重畳投射処理を示す別のフローチャート。
【図１２】上記部分重畳投射処理の一部の詳細を示す図。
【図１３】上記部分重畳投射処理の他の一部の詳細を示す図。
【図１４】上記他の一部の詳細を示す別の図。
【図１５】上記他の一部の詳細を示すさらに別の図。
【図１６】上記他の一部の詳細を示すさらに別の図。
【図１７】上記メニュー画面が合成画像全域に表示される例を示す図。
【発明を実施するための形態】
【００１３】
以下、本発明の実施例について図面を参照して説明する。
【００１４】
図１には、本発明の実施例である第１の画像投射装置としてのマスタープロジェクタの構成を示している。１はデジタルＲＧＢ入力端子、２はアナログＲＧＢ入力端子、３はビデオ入力端子である。４はデジタルＲＧＢ入力信号を受け取るレシーバである。５，６はアナログ信号をデジタル信号に変換するアナログデジタル変換回路（ＡＤ変換回路）である。
【００１５】
７はＡＤ変換されたデジタルビデオ信号を入力し、輝度を表すデジタル信号および２種類の色を表すデジタル信号を出力するビデオデコーダである。ビデオデコーダ７の出力は、マトリクス回路８に入力され、デジタルＲＧＢ信号に変換される。レシーバ４の出力、ＡＤ変換回路５の出力、マトリクス回路８の出力および制御部２６の出力であるＲＧＢ信号は、入力セレクタ回路９に入力される。
【００１６】
２９はネットワーク端子、３０は外部ネットワークとの通信を行うネットワークコントローラ、３１はＵＳＢ端子、３２は外部ＵＳＢ機器とのＵＳＢ通信制御を行うＵＳＢコントローラ、３３は半導体メモリ入出力端子、３４は半導体メモリコントローラである。ネットワーク端子２９から入力される外部ネットワーク上の画像データは、ネットワークコントローラ３０を通じて制御部２６に転送される。ＵＳＢ端子３１から入力される外部ＵＳＢ機器上の画像データは、ＵＳＢコントローラ３２を通じて、制御部２６に転送される。半導体メモリ入出力端子３３から入力される半導体メモリ上の画像データは、半導体メモリコントローラ３４を通じて、制御部２６に転送される。
【００１７】
制御部２６に転送された外部ネットワーク上や外部ＵＳＢ機器や半導体メモリの画像データは、入力セレクタ９回路へと送られる。入力セレクタ回路９により選択されたデジタルＲＧＢ信号は、解像度変換回路１１に入力され、フレームメモリ１０を介して、液晶パネル（光変調素子）２０の解像度およびフレーム表示周波数に対応した信号に変換される。
【００１８】
１２は画像処理回路であり、制御部２６が出力する制御信号に応じて解像度変換回路１１が出力するＲＧＢ信号に対するゲイン変換やオフセット変換等の色補正処理と台形補正処理とが行われる。
【００１９】
３５はメニュー付加回路（特定画像表示手段）である。メニュー付加回路３５は、画像処理回路１２が出力するＲＧＢ信号に、ＯＳＤ機能によって投射表示されるＧＵＩ（グラフィカルユーザインターフェース）としてのメニュー画面（メニュー画像）を表示するためのメニュー画像信号を付加する。
【００２０】
３６は重畳補正回路である。重畳補正回路３６は、部分重畳投射を行う際、すなわち複数のプロジェクタ（本実施例のマスタープロジェクタと後述する３台のスレーブプロジェクタ）からの投射画像のそれぞれの部分領域を互いに重畳させて単一の合成画像を表示する際の重畳補正処理を行う。重畳補正処理は、合成画像のうち少なくとも２つの投射画像の部分領域が重畳した重畳領域の照度（明るさ又は輝度）と重畳していない非重畳領域の照度との差が少なくなる（目立たなくなる）ように、各投射画像の部分領域の照度を低くする処理である。重畳補正回路３６は、制御部２６により制御されて重畳補正処理を行ったり行わなかったりする。制御部２６と重畳補正回路３６とにより、補正手段が構成される。
【００２１】
１３は逆Ｖ−Ｔ補正回路であり、重畳補正回路３６から出力されたＲＧＢ信号に対して、液晶パネル２０の入力電圧−光透過特性（Ｖ−Ｔ特性）の逆特性に基づく補正を行い、視覚特性に適応した階調特性を有するＲＧＢ信号を出力する。１４はむら補正回路である。むら補正回路１４は、画像全体のＲＧＢデータが均一であるデジタルビデオ信号が入力されたときに、投射画像全体が均一なＲＧＢで投射されるように、つまりは液晶パネル２０のパネル面内でのむらを抑制するように、パネル画素ごとのパネル駆動電圧を制御する。１５はパネル出力処理回路であり、むら補正回路１４からの出力信号を液晶パネル２０の駆動が可能な信号に変換する。
【００２２】
２３はリモコン受光部、２４はシリアル通信端子である。マスタープロジェクタの外部のリモコンからの操作信号を赤外光にてリモコン受光部２３で受信することで、制御部２６は、該操作信号に応じて本実施例のマスタープロジェクタ（およびスレーブプロジェクタ）の動作を制御する。また、パーソナルコンピュータや他の画像投射装置からの本実施例のマスタープロジェクタの制御を行う制御信号は、シリアル通信端子２４、ネットワーク端子２９およびＵＳＢ端子３１を介して送受信される。さらに、本実施例のマスタープロジェクタからパーソナルコンピュータや他の画像投射装置の制御を行う制御信号についても同様である。これらの記端子２４，２９，３１を介して外部から本実施例のマスタープロジェクタが制御される場合には、制御部２６によりその制御動作が行なわれる。
【００２３】
２５は本実施例のマスタープロジェクタに搭載されている制御スイッチであり、該制御スイッチ２５の操作により発生した制御信号は、制御部２６に入力され、該制御部２６に各種制御を行わせる。２７は同期信号入力端子であり、アナログＲＧＢ入力端子２からアナログＲＧＢ信号が入力される際に水平／垂直同期信号が入力される。２８は同期処理回路であり、ビデオ入力端子３から入力されるビデオ信号に対する同期分離処理や、デジタルＲＧＢ入力端子１から入力されるデジタルＲＧＢ信号に対する同期信号処理を行う。さらに、同期処理回路２８は、同期信号入力端子２７から入力されるアナログＲＧＢ信号の同期信号処理等を行う。同期信号処理回路２８から出力された信号は、制御部２６に入力される。
【００２４】
１６は電源である。１７はランプ駆動回路（バラスト）であり、電源１６から供給される電力を用いて光源ランプ（放電ランプ）１８に供給する安定した高電圧を発生させる。１９はインテグレータ光学系であり、光源ランプ１８が発する光の明るさの均一性を高める。インテグレータ光学系１９を通過した均一な明るさの光は、パネル出力処理回路１５により制御される液晶パネル２０で変調され、投射レンズ２１を介して被投射面としてのスクリーン２２に投射される。
【００２５】
図１には示していないが、インテグレータ光学系１９を通過した光は、Ｒ光、Ｇ光およびＢ光に分光され、それぞれ専用の液晶パネル２０に入射する。これらＲ，Ｇ，Ｂ用の３つの液晶パネルを通過したＲ光、Ｇ光およびＢ光が合成されて投射レンズ２１から投射されることにより、スクリーン２２上にカラー画像が表示される。
【００２６】
図２には、本実施例のマスタープロジェクタ２１０と３台のスレーブプロジェクタ（第２の画像投射装置）２１１，２１２，２１３によりスクリーン２０３に単一の合成画像を表示する画像投射システムの例を示している。スレーブプロジェクタ２１１，２１２，２１３は、基本的にマスタープロジェクタ２１０と同一の構成を有する。
【００２７】
パーソナルコンピュータ２０２から出力された原画像は、映像ケーブル２０４を介して映像分配装置２０１に入力される。映像分配装置２０１は、原画像を４つの分割画像に分割し、それぞれの分割画像を映像ケーブル２０６，２０７，２０８，２０９を介してマスターおよびスレーブプロジェクタ２１０，２１１，２１２，２１３に出力する。各分割画像は、合成画像の表示において、他の分割画像の部分領域と重畳される部分領域と、他の分割画像とは重畳されない（合成画像にて非重畳領域となる）領域とを有する。
【００２８】
マスターおよびスレーブプロジェクタ２１０〜２１３は、それらの背面に設けられた映像信号入力端子から、対応する分割画像の画像信号を入力する。マスタープロジェクタ２１０は、合成画像のうち左上の画像領域を構成する分割画像（第１の画像）を投射し、スレーブプロジェクタ２１１，２１２，２１３はそれぞれ、合成画像のうち左下、右上および右下の画像領域を構成する分割画像（第２の画像）を投射する。図２中に示した合成画像のうち十字形状の帯状の領域が重畳領域であり、それ以外の領域が非重畳領域である。
【００２９】
マスターおよびスレーブプロジェクタ２１０〜２１３は、それらの側面に配置されたネットワーク端子を介して、スイッチングハブ２０５とネットワークケーブル２３０，２３１，２３２，２３３を介して接続されており、互いに制御が可能である。また、パーソナルコンピュータ２０１とスイッチングハブ２０５との間もネットワークケーブル２３４で接続されている。
【００３０】
図３には、映像分配装置２０１からマスターおよびスレーブプロジェクタ２１０〜２１３に出力している分割画像の画像信号を示す。図３（Ａ）はマスタープロジェクタ２１０に出力される画像信号であり、図３（Ｂ）はスレーブプロジェクタ２１１に出力される画像信号である。図３（Ｃ）はスレーブプロジェクタ２１２に出力される画像信号であり、図３（Ｄ）はスレーブプロジェクタ２１３に出力される画像信号である。また、図３（Ａ）〜（Ｄ）における斜線部分は、合成画像において重畳領域となる各分割画像の部分領域である。
【００３１】
図４および図５には、重畳補正回路３６の処理を示している。マスターおよびスレーブプロジェクタ２１０〜２１３にはそれぞれ、図４（Ａ），（Ｂ），（Ｃ），（Ｄ）に示す分割画像の画像信号が入力される。重畳補正回路３６は、リモコン受光部２３、シリアル通信端子２４、制御ボタン２５、ネットワーク端子２９およびＵＳＢ端子３１のいずれかの端子から入力された重畳補正処理コマンドを受けた制御部２６によって制御される。重畳補正回路３６は、重畳補正処理コマンドから、各分割画像における重畳位置（重畳補正処理を行う部分領域の上下左右での位置）と重畳補正処理を行う部分領域の幅を示す重畳幅とを取得する。そして、重畳補正回路３６は、これらの重畳位置と重畳幅とに応じて、画像処理回路１２が出力する分割画像の画像信号としてのＲＧＢ信号に対して重畳補正処理を行う。
【００３２】
図４（Ａ）に示す分割画像のＲＧＢ信号が入力されたマスタープロジェクタ２１０の重畳補正回路３６では、重畳位置は右と下と設定され、右の重畳幅はｈ、下の重畳幅はｖと設定される。図４（Ｂ）〜（Ｄ）に示す分割画像のＲＧＢ信号が入力されたスレーブプロジェクタ２１１〜２１３ではそれぞれ、重畳位置が右と上、左と下、左と上に設定され、左と右の重畳幅はｈに、上と下の重畳幅はｖに設定される。
【００３３】
そして、重畳補正回路３６は、各分割画像の部分領域に対して、合成画像における重畳領域の照度と非重畳領域の照度との差が少なくなる（望ましくは零になるように）重畳補正処理を行う。本実施例では、重畳補正処理として、図５（Ａ）〜（Ｄ）に示すように、部分領域の内端から外端に向かって照度が低くなるように、言い換えれば部分領域の外端から内端に向かって照度が高くなるようにグラデーション処理を行う。マスターおよびスレーブプロジェクタ２１０〜２１３はそれぞれ、重畳補正処理がなされた図５（Ａ）〜（Ｄ）に示す分割画像を投射する。これにより、スクリーン２０３には、図６（Ｂ）に示すように重畳領域と非重畳領域の照度の差が目立たない合成画像が表示される。なお、図６（Ａ）には、実際には表示されない重畳領域を理解のために示している。斜線部分は２つの分割画像間の重畳領域であり、縦横線部分は４つの分割画像間の重畳領域である。それ以外の部分が非重畳領域である。
【００３４】
図７（Ａ），（Ｂ）には、前述したメニュー画面の例を示している。このメニュー画面には、全プロジェクタ２１０〜２１３において共通する設定を行うための共通設定メニュー項目が含まれる。例えば、図示はしていないが、上述した重畳位置と重畳幅を設定するためのメニュー項目や、４つのプロジェクタ２１０〜２１３に対してマスタープロジェクタの設定およびスレーブプロジェクタの設定を行うメニュー項目が含まれる。本実施例では、メニュー項目「Multi Projection System」においてプロジェクタ２１０に対して「Master」と設定し、他のプロジェクタ２１１〜２１３に対して「Slave」と設定する。
【００３５】
また、本実施例では、共通設定メニュー項目として、  図７（Ａ）に示すように、「Image mode」、「Brightness」、「Contrast」、「Sharpness」および「Gamma」を有する。「Image mode」では画質モードを設定でき、「Brightness」では明るさ設定（調整）が可能である。「Contrast」ではコントラスト設定（調整）が可能である。「Sharpness」では鮮鋭度の設定（調整）が可能であり、「Gamma」では階調特性の設定（調整）が可能である。これらの共通設定メニュー項目は、図７（Ａ）に「Master」と表示されていることから分かるようにマスタープロジェクタにおいて設定可能である。一方、図７（Ｂ）に「Slave」と表示され、共通設定メニュー項目がグレー表示されていることから分かるように、スレーブプロジェクタからは共通設定メニュー項目の設定はできない。
【００３６】
次に、制御部２６と重畳補正回路３６により構成される補正手段により行われる処理について説明する。図８（Ａ）には、マスタープロジェクタ２１０から投射された左上の分割画像の中央にメニュー画面が表示され、重畳領域にはメニュー画面が表示されていない状態を示している。なお、ここでは分かり易くするために、合成画像を４つの分割画像に分けて示している。このとき、制御部２６は、マスタープロジェクタ２１０の重畳補正回路３６とスレーブプロジェクタ２１２（２１１，２１３）に各分割画像の部分領域（重畳領域）に重畳補正処理を行わせる。これにより、図９（Ａ）に示すように、メニュー画面を一部に含む合成画像が表示される。
【００３７】
図８（Ｂ）には、マスタープロジェクタ２１０から投射された左上の分割画像内にメニュー画面が表示されているが、その一部（右端部）がスレーブプロジェクタ２１２により投射された分割画像との重畳領域に表示されている状態を示している。制御部２６は、図８（Ｂ）に示す状態では、左上の分割画像の部分領域（重畳領域）のうちメニュー画像が表示されていない部分については重畳補正回路３６による重畳補正処理を行わせ、メニュー画面が表示されている部分については重畳補正処理を行わせない。また、制御部２６は、スレーブプロジェクタ２１２に対して、該スレーブプロジェクタ２１２が投射している分割画像のうちメニュー画面が表示される部分については、メニュー画像が表示されない部分よりも低照度である黒表示に相当する照度にさせる。これにより、図９（Ｂ）に示すように、重畳領域にかかった部分が暗くなっていない見やすいメニュー画像を一部に含む合成画像が表示される。
【００３８】
図１０のフローチャートには、制御部２６が行う処理（画像投射方法）を示している。制御部２６は、マスタープロジェクタ２１０に搭載されたコンピュータ（第１のコンピュータ）として、コンピュータプログラムであるマスター画像投射プログラムに従って以下の処理を行う。
【００３９】
図１０において、ステップＳ１００１では、制御部２６は、「Multi Projection System」が「Master」に設定されたことに応じて、ステップＳ１００２に進む。
【００４０】
ステップＳ１００２では、制御部２６は、ともに部分重畳投射を行うスレーブプロジェクタ２１１〜２１３の情報の設定を行う。ここでいう情報とは、ＩＰアドレス等の通信用の情報やスレーブプロジェクタを識別するためのＩＤ情報等である。
【００４１】
次に、ステップＳ１００３では、制御部２６は、スレーブプロジェクタ２１１〜２１３の情報の設定が完了したか否かを判定し、完了するまでステップＳ１００２を繰り返す。スレーブプロジェクタ２１１〜２１３の情報の設定が完了すると、ステップＳ１００４に進む。
【００４２】
ステップＳ１００４では、制御部２６は、「Image mode」、「Brightness」、「Contrast」、「Sharpness」および「Gamma」を含む共通設定メニュー項目の設定値を取得する。
【００４３】
次に、ステップＳ１００５では、制御部２６は、取得した共通設定メニュー項目の設定値が変更されているか否かまたはスレーブプロジェクタ２１１〜２１３に未送信であるか否かを判定する。設定値が変更されたまたは未送信である場合は、ステップＳ１００６に進む。
【００４４】
ステップＳ１００６では、制御部２６は、スレーブプロジェクタ２１１〜２１３に対して共通設定メニュー項目の設定値を送信する。
【００４５】
次に、ステップＳ１００７では、制御部２６は、スレーブプロジェクタ２１１〜２１３に対して、画像の表示解像度、重畳位置および重畳幅の情報の送信を要求し、これらの情報を受信する。
【００４６】
その後、ステップＳ１００８では、制御部２６は、マスタープロジェクタ２１０のメニュー画面の表示位置を取得する。
【００４７】
次に、ステップＳ１００９では、制御部２６は、スレーブプロジェクタ２１１〜２１３から受信した表示解像度、重畳位置および重畳幅の情報に変更があるか否かを判定し、変更がある場合はステップＳ１０１１に、変更がない場合はステップＳ１０１０に進む。
【００４８】
ステップＳ１０１０では、制御部２６は、マスタープロジェクタ２１０におけるメニュー画面の表示位置に変更があるか否かを判定する。変更がない場合はステップＳ１００３に戻り、変更がある場合はステップＳ１０１１に進む。
【００４９】
ステップＳ１０１１では、制御部２６は、マスタープロジェクタ２１０およびスレーブプロジェクタ２１１〜２１３がそれぞれ投射する分割画像においてメニュー画面が表示される領域を演算する。
【００５０】
その後、ステップＳ１０１２において、制御部２６は、重畳補正回路３６に、重畳領域のうちメニュー画面が表示される部分の重畳補正処理を停止させる。
【００５１】
そして、ステップＳ１０１３では、制御部２６は、メニュー画面を表示するスレーブプロジェクタに対して、該スレーブプロジェクタが投射する分割画像におけるメニュー画面が表示される領域（部分）の演算とその領域の黒表示の要求とを送信する。
【００５２】
図１１には、スレーブプロジェクタ２１１〜２１３が行う処理を示す。スレーブプロジェクタ２１１〜２１３はそれぞれコンピュータ（第２のコンピュータ）としてのスレーブ制御部（図示せず）を搭載している。該スレーブ制御部は、コンピュータプログラムであるスレーブ画像投射プログラムに従って以下の処理を行う。
【００５３】
予めステップＳ１１００においてＩＰアドレスやＩＤ等の情報の設定が行われたスレーブ制御部は、ステップＳ１１０１において、「Multi Projection System」が「Slave」に設定されたことに応じてステップＳ１１０２に進む。
【００５４】
ステップＳ１１０２では、スレーブ制御部は、マスタープロジェクタ２１０（制御部２６）からの共通設定メニュー項目の設定値の要求があったか否かを判定する。要求があればステップＳ１１０３に進み、要求がなければステップＳ１１０２を繰り返す。
【００５５】
ステップＳ１１０３では、スレーブ制御部は、共通設定メニュー項目の設定を行う。
【００５６】
次に、ステップＳ１１０４では、スレーブ制御部は、マスタープロジェクタ２１０から表示解像度、重畳位置および重畳幅の情報の要求があったか否かを判定する。要求があればステップＳ１１０５に進み、要求がなければステップＳ１１０４を繰り返す。
【００５７】
ステップＳ１１０５では、スレーブ制御部は、マスタープロジェクタ２１０に表示解像度、重畳位置および重畳幅の情報を送信する。
【００５８】
さらに、ステップＳ１１０６では、スレーブ制御部は、マスタープロジェクタ２１０からのメニュー画面が表示される領域に対する黒表示処理の要求があったか否かを判定する。要求があればステップＳ１１０７に進み、要求がなければステップＳ１１０７に進む。
【００５９】
ステップＳ１１０７では、スレーブ制御部は、分割画像においてメニュー画面が表示される領域を黒表示とする。
【００６０】
次に、図１２〜図１６を用いて、図８（Ａ）に示す位置から図８（Ｂ）に示す位置にメニュー画面の位置が変更されたときのステップＳ１００７〜Ｓ１０１３（図１０）およびステップＳ１１０４〜Ｓ１１０７（図１１）で行われる処理について説明する。
【００６１】
なお、以下の説明において使用する画像上での位置を示す座標は、画像の左上を原点（０，０）とし、右方向もしくは下方向に向かって座標値が大きくなるものとする。また、メニュー画面の大きさは、水平方向にＭｈ、垂直方向にＭｖであるものとする。また、部分重畳投射される全ての分割画像の表示解像度は互いに等しく、水平方向にｈｆｕｌｌ、垂直方向にｖｆｕｌｌであるとする。さらに、分割画像間での水平方向での重畳幅（重畳幅での画素数）をｈとし、垂直方向での重畳幅はｖとする。この場合、４つの分割画像による部分重畳投射により表示される合成画像（重畳領域と非重畳領域を含む）の解像度は、図１４に示すように、水平方向に２×ｈｆｕｌｌ−ｈ、垂直方向に２×ｖｆｕｌｌ−ｖである。
【００６２】
図１２（Ａ）には、マスタープロジェクタ２１０により投射される分割画像を、図１２（Ｂ）にはスレーブプロジェクタ２１２により投射される分割画像を示している。図１２（Ａ）に示すようにメニュー画面の位置が変化したとする。つまり、メニュー画面の左上の座標が（Ｍｘ＿ｏｌｄ，Ｍｙ＿ｏｌｄ）から（Ｍｘ＿ｎｅｗ，Ｍｙ＿ｎｅｗ）に変化したとする。
【００６３】
図１３には、マスタープロジェクタ２１０（制御部２６：以下、マスター制御部２６という）およびスレーブプロジェクタ２１２（スレーブ制御部）間での処理の流れを、図１０および図１１中のステップ番号とともに示している。時間は上から下に流れている。マスター制御部２６からスレーブ制御部に対して「表示解像度、重畳位置、重畳幅」の要求が行われると、スレーブ制御部は、「表示解像度＝ｈｆｕｌｌ×ｖｆｕｌｌ、重畳位置＝４画像重畳の右上、[重畳画素＝ｈ、左側]、[重畳ライン＝ｖ、下側]」を回答する。
【００６４】
マスター制御部２６は、メニュー画面の位置を取得し、前回取得した座標（Ｍｘ＿ｏｌｄ，Ｍｙ＿ｏｌｄ）から今回取得した座標（Ｍｘ＿ｎｅｗ，Ｍｙ＿ｎｅｗ）へと変化したことを確認する。左上座標（Ｍｘ＿ｏｌｄ，Ｍｙ＿ｏｌｄ）、右下座標（Ｍｘ＿ｏｌｄ＋Ｍｈ，Ｍｙ＿ｏｌｄ＋Ｍｖ）で示される位置に存在するメニュー画面は重畳領域に重なっていない。しかし、メニュー画面が左上座標（Ｍｘ＿ｎｅｗ，Ｍｙ＿ｎｅｗ）、右下座標（Ｍｘ＿ｎｅｗ＋Ｍｈ，Ｍｙ＿ｎｅｗ＋Ｍｖ）で示される位置に移動する。これにより、メニュー画面の右端の水平座標とマスタープロジェクタ２１０により投射される分割画像の右端との幅がｈｒとなる。
【００６５】
この幅ｈｒが水平方向の重畳幅ｈより小さいと、メニュー画面が重畳領域に重なる。つまり、マスタープロジェクタ２１０により投射される分割画像における重畳領域のうち、左上座標（ｈｆｕｌｌ−ｈ，Ｍｙ＿ｎｅｗ）、右下座標（ｈｆｕｌｌ−ｈ，Ｍｙ＿ｎｅｗ＋Ｍｖ）で示される部分には、メニュー画面が表示される。また、スレーブプロジェクタ２１２により投射される分割画像における重畳領域のうち、左上座標（０，Ｍｙ＿ｎｅｗ）、右下座標（ｈ−ｈｒ，Ｍｙ＿ｎｅｗ＋Ｍｖ）で示される部分にもメニュー画面が表示される。
【００６６】
このため、図１５の破線で囲んで示すように、図１１および図１３におけるステップＳ１０１２でメニュー画面が表示される部分の重畳補正処理を停止することにより、結果として、メニュー画面には重畳補正処理が行われない。また、マスター制御部２６はスレーブ制御部に対して、左上座標（０，Ｍｙ＿ｎｅｗ）、右下座標（ｈ−ｈｒ，Ｍｙ＿ｎｅｗ＋Ｍｖ）で示される領域を黒表示するように要求する。これに対して、スレーブ制御部は、図１６に黒の四角形で示すように、左上座標（０，Ｍｙ＿ｎｅｗ）、右下座標（ｈ−ｈｒ，Ｍｙ＿ｎｅｗ＋Ｍｖ）で示される領域を黒表示する。
【００６７】
これにより、マスターおよびスレーブプロジェクタ２１０〜２１３はそれぞれ、図８（Ｂ）に示した分割画像を投射し、この結果、図９（Ｂ）に示したように重畳領域にかかる部分も見やすいメニュー画像を含んだ合成画像を表示することが可能となる。
【００６８】
図１７には、メニュー画面がマスタープロジェクタ２１０が投射する分割画像全体に重なるように表示される例を示す。この場合、スレーブプロジェクタ２１１〜２１３により投射される分割画像におけるマスタープロジェクタ２１０により表示される分割画像（すなわち、メニュー画面）との重畳領域が全て黒表示となる。
【００６９】
なお、本実施例では、マスターおよびスレーブプロジェクタ２１０〜２１３の表示解像度が全て互いに等しい場合について説明したが、個々のプロジェクタの表示解像度が異なっていてもよい。この場合、図１０におけるステップＳ１０１３において、マスター制御部２６はスレーブ制御部に対して表示解像度と重畳幅を考慮したメニュー画面の座標を送信する。
【００７０】
また、本実施例では、４つのプロジェクタを用いて上下左右に配置した分割画像を重畳させる場合について説明したが、プロジェクタの数や分割画像の配置は他の数や配置でもよい。
【００７１】
また、本実施例では、プロジェクタの表示に関する設定を行うメニュー画像を特定画像として説明したが、表示されるコンテンツに関するメニュー等、他の設定を行う画像を特定画像として表示してもよい。
【００７２】
さらに、本実施例では、マスタープロジェクタが投射する分割画像内にメニュー画像が表示される場合について説明したが、スレーブプロジェクタが投射する分割画像内にメニュー画像が表示される場合でも、本発明を適用することができる。
【００７３】
すなわち、マスターおよびスレーブプロジェクタの少なくとも一方に、合成画像の一部に含まれるようにメニュー画像を表示させればよい。そして、メニュー画像が重畳領域を含まないように表示される場合には、マスターおよびスレーブプロジェクタに、これらが投射する分割画像（第１および第２の画像）のそれぞれの部分領域（重畳領域）に対して重畳補正処理を行わせる。また、メニュー画像が重畳領域を含むように表示される場合には、マスターおよびスレーブプロジェクタに、これらが投射する分割画像のうち一方の画像における部分領域のうちメニュー画像が表示される部分の重畳補正処理を行わせないようにする。これとともに、これら分割画像のうち他方の画像におけるメニュー画像が表示される部分をメニュー画像が表示されない部分よりも低照度にさせればよい。
【００７４】
以上説明した各実施例は代表的な例にすぎず、本発明の実施に際しては、各実施例に対して種々の変形や変更が可能である。
【符号の説明】
【００７５】
２６  制御部
３５  メニュー付加回路
３６  重畳補正回路
２１０  マスタープロジェクタ
２１１〜２１３  スレーブプロジェクタ
【図１】
2016024296.tif 000003
【図２】
2016024296.tif 000004
【図３】
2016024296.tif 000005
【図４】
2016024296.tif 000006
【図５】
2016024296.tif 000007
【図６】
2016024296.tif 000008
【図７】
2016024296.tif 000009
【図８】
2016024296.tif 000010
【図９】
2016024296.tif 000011
【図１０】
2016024296.tif 000012
【図１１】
2016024296.tif 000013
【図１２】
2016024296.tif 000014
【図１３】
2016024296.tif 000015
【図１４】
2016024296.tif 000016
【図１５】
2016024296.tif 000017
【図１６】
2016024296.tif 000018
【図１７】
2016024296.tif 000019